(57)【要約】      （修正有）【課題】浴室の洗い場の床面積が小さくても、脱衣、洗身及び着衣の介助を窮屈感なく楽に行え、また、置き場に困らずに入浴の介助を行うことができ、さらに、被介助者が痛みを感じることなく心地よく腰掛けること又は寝ることができる浴室内介助用ボードを提供する。【解決手段】浴室内介助用ボードは、被介助者が腰掛けること及び寝ることに耐え得る強度を有するボード本体１と、ボード本体１を、浴槽２０の上端面２１に当接する倒し位置と、浴槽が寄った壁３０に当接又は近接する起こし位置とに回動させられるように、ボード本体１の一辺側を前記壁３０に回動可能に取り付けた軸着部材５と、ボード本体１の表面の半分以上の面積に取り付けられた表面クッション材１０とを備える。【選択図】図１
0003230705.tif 000002
【実用新案登録請求の範囲】
【請求項１】
浴槽の開口全体を覆うことができる大きさの略長方形板状をなし、被介助者が腰掛けること及び寝ることに耐え得る強度を有するボード本体と、
ボード本体を、浴槽の開口周囲の上端面に当接して浴槽の開口全体を覆う倒し位置と、浴槽が寄った壁に当接又は近接する起こし位置とに回動させられるように、ボード本体の一辺側を前記壁に回動可能に取り付けた軸着部材と、
倒し位置で上面となるボード本体の表面の半分以上の面積に取り付けられた表面クッション材とを備えることを特徴とする浴室内介助用ボード。
【請求項２】
ボード本体の長辺長さが浴槽の長辺長さと実質的に同じである請求項１記載の浴室内介助用ボード。
【請求項３】
ボード本体の長辺長さが浴槽の長辺長さより大きく、浴槽の長さ方向の一端側よりもはみ出したボード本体の長さ方向の一端側に、浴室の床に立ち得る補助支柱が取り付けられた請求項１記載の浴室内介助用ボード。
【請求項４】
補助支柱の一端が、倒し位置で下面となるボード本体の裏面に回動可能に軸着され、ボード本体が回動しても補助支柱は自重により垂直姿勢となる請求項３記載の浴室内介助用ボード。
【請求項５】
ボード本体の一長辺側が前記壁に前記軸着部材で取り付けられ、ボード本体はその大きさの途中で折り畳み不能なものである請求項１〜４のいずれか一項に記載の浴室内介助用ボード。
【請求項６】
ボード本体の一短辺側が前記壁に前記軸着部材で取り付けられ、ボード本体はその大きさの途中で折り畳み可能なものである請求項１〜４のいずれか一項に記載の浴室内介助用ボード。
【請求項７】
軸着部材は、ボード本体を起こし位置側に付勢する付勢部材を備えたものである請求項２又は３記載の浴室内介助用ボード。
【請求項８】
請求項１〜７のいずれか一項に記載の浴室内介助用ボードを備えた浴室であって、前記壁に、倒し位置のボード本体に腰掛けた被介助者の背を受けるための背当クッション材が取り付けられたことを特徴とする浴室。
【考案の詳細な説明】
【技術分野】
【０００１】
本考案は、浴室内で被介助者の脱衣、洗身及び着衣を介助するために用いる浴室内介助用ボード及び同ボードを備えた浴室に関するものである。
【背景技術】
【０００２】
浴室は浴槽と洗い場とからなる。浴室の洗い場は、近年広く普及したユニットバスの多くがそうであるように、健常者にとっては十分な床面積であっても、被介助者にとっては不十分な床面積であることが多い。被介助者の脱衣、洗身及び着衣を浴室内で介助するには、洗い場に、脱衣、洗身及び着衣のための大きめの椅子を置いたりマットを敷いたりする必要があり、また、リフト装置を動かすスペースや、介助者のためのスペースも必要だからである。
【０００３】
特許文献１には、浴槽の傾斜した上縁部に、剛性を有する天板蓋を載せ、よって傾斜した天板蓋の上に、被介助者を乗せて洗身することが記載されている。天板蓋は、アルミニウム板片を複数並べて連結し、巻り取り可能な構成である。
【０００４】
なお、特許文献２には、浴槽の蓋の一長辺側を、浴槽の上端部にヒンジで取り付けて、開閉自在にした蓋が開示されている。また、特許文献３には、浴槽の中折れ可能な蓋の一短辺側を、浴室壁面部の蓋収納パネルにトルクヒンジで取り付けて、蓋収納パネルの収納凹部に収納可能にした蓋が開示されている。しかし、これらの蓋は、浴槽の単なる蓋であって、蓋の上に被介助者が腰掛けたり寝たりすることを想定した介助用のものではない。
【先行技術文献】
【特許文献】
【０００５】
【特許文献１】特開平６−１３４０１９号公報
【特許文献２】実開平６−２６２号公報
【特許文献３】特開２００２−２３８７８７号公報
【考案の概要】
【考案が解決しようとする課題】
【０００６】
特許文献１では、傾斜した天板蓋に被介助者を乗せるので、被介助者は上手く腰掛けることができない。また、天板蓋はアルミニウム板片製で硬いので、被介助者は乗り心地が悪く傷みを感じる。また、天板蓋は、浴槽に載せた状態と、浴槽から外した状態とを何回か繰り返す必要があるところ、浴槽から外した天板蓋の置き場に困る。
【０００７】
そこで、本考案の目的は、浴室の洗い場の床面積が小さくても、倒し位置のボードに被介助者を腰掛けさせ又は寝かせて、脱衣、洗身及び着衣の介助を窮屈感なく楽に行うことができ、また、ボードを起こし位置にして、ボードの置き場に困らずに、入浴の介助を行うことができるとともに、被介助者が痛みを感じることなく心地よく腰掛けること又は寝ることができる、新規な浴室内介助用ボード及び浴室を提供することにある。
【課題を解決するための手段】
【０００８】
（１）本考案の浴室内介助用ボードは、
浴槽の開口全体を覆うことができる大きさの略長方形板状をなし、被介助者が腰掛けること及び寝ることに耐え得る強度を有するボード本体と、
ボード本体を、浴槽の開口周囲の上端面に当接して浴槽の開口全体を覆う倒し位置と、浴槽が寄った壁に当接又は近接する起こし位置とに回動させられるように、ボード本体の一辺側を前記壁に回動可能に取り付けた軸着部材と、
倒し位置で上面となるボード本体の表面の半分以上の面積に取り付けられた表面クッション材とを備えることを特徴とする。
【０００９】
ここで、ボード本体の長辺長さが浴槽の長辺長さと実質的に同じである態様を例示できる。この場合、ボード本体の長辺長さは７００以上１６００ｍｍ未満となることが多い。
【００１０】
また、ボード本体の長辺長さが浴槽の長辺長さより大きく、浴槽の長さ方向の一端側よりもはみ出したボード本体の長さ方向の一端側に、浴室の床に立ち得る補助支柱が取り付けられた態様を例示できる。ボード本体のはみ出した部分にかかる被介護者の荷重を補助支柱で支えることができる。この場合、ボード本体の長辺長さは１６００ｍｍ以上であることが好ましく、１７００ｍｍ以上であることがより好ましい。ボード本体の上に被介助者を楽に寝かせることができるからである。ボード本体の長辺長さの上限は、特にないが、強いていえば２０００ｍｍである。
【００１１】
この補助支柱の一端が、倒し位置で下面となるボード本体の裏面に回動可能に軸着され、ボード本体が回動しても補助支柱は自重により垂直姿勢となる態様を例示できる。補助支柱を手動で繰り出す必要がなくなる。
【００１２】
ボード本体の短辺長さは、浴槽の長辺長さと実質的に同じであるか又は５０ｍｍ以下の分だけ大きいことが好ましい。
【００１３】
ボード本体の一長辺側が前記壁に前記軸着部材で取り付けられ、ボード本体はその大きさの途中で折り畳み不能なものである態様を例示できる。
【００１４】
ボード本体の一短辺側が前記壁に前記軸着部材で取り付けられ、ボード本体はその大きさの途中で折り畳み可能なものである態様を例示できる。
【００１５】
軸着部材は、ボード本体を起こし位置側に付勢する付勢部材を備えたものである態様を例示できる。この軸着部材としては、オートヒンジを例示できる。
【００１６】
（２）本考案の浴室は、上記考案及びその態様の浴室内介助用ボードを備えた浴室であって、前記壁に、倒し位置のボード本体に腰掛けた被介助者の背を受けるための背当クッション材が取り付けられたことを特徴とする。
【考案の効果】
【００１７】
本考案によれば、浴室の洗い場の床面積が小さくても、倒し位置のボードに被介助者を腰掛けさせ又は寝かせて、脱衣、洗身及び着衣の介助を窮屈感なく楽に行うことができ、また、ボードを起こし位置にして、ボードの置き場に困らずに、入浴の介助を行うことができる。また、表面クッション材により、被介助者が痛みを感じることなく心地よく腰掛け又は寝て、前記介助を受けることができる。
【図面の簡単な説明】
【００１８】
【図１】実施例の浴室内介助用ボード（倒し位置）及び浴室を示す斜視図である。
【図２】同浴室内介助用ボード（起こし位置）及び浴室を示す斜視図である。
【図３】同浴室内介助用ボード（倒し位置）及び浴室の、(ａ)は平面図、(ｂ)は正面図、(ｃ)は側面図である。
【図４】同浴室内介助用ボード（起こし位置）及び浴室の、(ａ)は平面図、(ｂ)は正面図、(ｃ)は側面図である。
【図５】同浴室内介助用ボードの部分断面図である。
【図６】同浴室内介助用ボードの外部に現れる軸着部材部分の分解斜視図である。
【図７】同浴室内介助用ボードの内部における軸着部材部分の分解斜視図である。
【考案を実施するための形態】
【００１９】
１．ボード本体
ボード本体の材料としては、特に限定されないが、樹脂、アルミニウム合金、木等を例示できる。樹脂としては、特に限定されないが、耐衝撃性に優れるポリカーボネート、ポリ塩化ビニル等が好ましい。
【００２０】
２．表面クッション材・背当クッション材
表面クッション材・背当クッション材の材料としては、特に限定されないが、軟質樹脂、エラストマー、ゴム等を例示でき、それらのソリッド材でもフォーム材（発泡）でもよい。軟質樹脂としては、特に限定されないが、エチレン酢酸ビニル共重合体（ＥＶＡ）、ポリウレタン等を例示できる。
【実施例】
【００２１】
図１〜図７に示す実施例の浴室内介助用ボード及び浴室について説明する。なお、本考案は実施例に限定されるものではなく、考案の趣旨を逸脱しない範囲で各部の形状、寸法、構成等を任意に変更して実施することもできる。
【００２２】
浴室内には、浴槽２０が、その一長辺を壁３０に寄せて、備え付けられている。浴槽２０の開口周囲の上端面２１は実質的に水平である。
【００２３】
実施例の浴室内介助用ボードは、ボード本体１と、軸着部材５と、表面クッション材１０と、補助支柱１２とを備えている。
【００２４】
ボード本体１は、浴槽２０の開口全体を覆うことができる大きさの略長方形板状をなし、被介助者が腰掛けること及び寝ることに耐え得る強度を有している。具体的には、ボード本体１は、図５及び図７に示すように、樹脂製の表板２と裏板３とを合わせて構成され、裏板３に凹湾曲形成されたリブ４が表板２に当接して強度を高めている。９は表板２と裏板３とを両者への接着により結合する接着板である。ボード本体１の大きさは、例えば、長辺長さが１７００ｍｍ、短辺長さが８００ｍｍ、厚さが３５ｍｍである。ボード本体１はその大きさの途中で折り畳み不能なものである。
【００２５】
軸着部材５は、ボード本体１を、浴槽２０の開口周囲の上端面２１に当接して浴槽２０の開口全体を覆う倒し位置（図１及び図３）と、浴槽２０が寄った壁３０に当接又は近接する起こし位置（図２及び図４）とに回動させられるように、ボード本体１の一長辺側を前記壁３０に回動可能に取り付けるものである。
【００２６】
軸着部材５には、図６及び図７に示すように、ボード本体１を起こし位置側に付勢する付勢部材を備えたオートヒンジが用いられている。オートヒンジは、ボード本体１側への取付部６は表板２と裏板３に挟まれて取り付けられ、壁３０側への取付部７は２分割されたケース８に挟まれて取り付けられている。オートヒンジは、ボード本体１が倒し位置（水平）から約５度起きるまでは付勢力が実質的に働かず（よってボード本体１は水平が保たれ）、約５度を越えると付勢力が実質的に働き（よってボード本体１を軽い外力ではねあげることができ）、起こし位置（垂直）でボード本体１を保持するようになっている。
【００２７】
表面クッション材１０は、倒し位置で上面となるボード本体１の表面の半分以上の面積に取り付けられている。表面クッション材１０は、板状であり、軟質樹脂フォームで形成されている。
【００２８】
ボード本体１の長辺長さは浴槽２０の長辺長さ（例えば１２００ｍｍ）より大きい。
【００２９】
補助支柱１２は、浴槽２０の長さ方向の一端側よりもはみ出したボード本体１の長さ方向の一端側に、浴室の床に立ちうるように取り付けられており、ボード本体１のはみ出した部分にかかる被介護者の荷重を補助支柱１２で支えることができる。具体的には、補助支柱１２の一端が、倒し位置で下面となるボード本体１の裏面に軸支部１３で回動可能に軸支され、ボード本体１が回動すると補助支柱１２は自重により垂直姿勢となる。これにより、補助支柱１２を手動で繰り出す必要がなくなる。
【００３０】
さらに、ボード本体１の裏面には、手摺り１５が取り付けられている。
【００３１】
浴室の前記壁３０には、倒し位置のボード本体１に腰掛けた被介助者の背を受けるための背当クッション材３１が取り付けられている。背当クッション材３１は、板状であり、軟質樹脂フォームで形成されている。
【００３２】
本実施例の浴室内介助用ボード及び浴室の使用方法の一例を説明する。
１．介助者は、着衣の被介助者（図示略）を、車椅子（図示略）で浴室に入れる。
２．介助者は、着衣の被介助者を、浴室内のリフト装置（図示略）で、車椅子から吊り上げ、倒し位置の浴室内介助用ボードに腰掛けさせて、脱衣を介助する。
３．介助者は、脱衣の被介助者を、リフト装置で、浴室内介助用ボードから吊り上げ、（浴室内介助用ボードを起こし位置にしてから）浴槽２０内に降ろして、入浴を介助する。
４．介助者は、脱衣の被介助者を、リフト装置で、浴槽２０から吊り上げ、（浴室内介助用ボードを倒し位置にしてから）浴室内介助用ボードに腰掛けさせるか又は寝かせて、シャワー等を用い洗身を介助する。
【００３３】
５．介助者は、脱衣の被介助者を、リフト装置で、浴室内介助用ボードから吊り上げ、（浴室内介助用ボードをシャワー等で洗って起こし位置にしてから）浴槽２０内に降ろして、入浴を介助する。
６．介助者は、脱衣の被介助者を、リフト装置で、浴槽２０から吊り上げ、その状態で身体を簡単に拭き、（浴室内介助用ボードを倒し位置にしてから）浴室内介助用ボードに腰掛けさせて、身体を十分に拭き、着衣を介助する。
７．介助者は、着衣の被介助者を、リフト装置で、浴室内介助用ボードから吊り上げ、車椅子に腰掛けさせる。
８．介助者は、着衣の被介助者を、車椅子で浴室から出す。
【００３４】
本実施例の浴室内介助用ボードによれば、浴室の洗い場の床面積が小さくても、倒し位置のボードに被介助者を腰掛けさせ又は寝かせて、脱衣、洗身及び着衣の介助を窮屈感なく楽に行うことができ、また、ボードを起こし位置にして、ボードの置き場に困らずに、入浴の介助を行うことができる。また、表面クッション材１０により、被介助者が痛みを感じることなく心地よく腰掛け又は寝て、前記介助を受けることができる。
【００３５】
また、本実施例の浴室によれば、浴室内介助用ボードによる上記効果に加えて、背当クッション材３１により、被介助者が痛みを感じることなく心地よく壁３０にもたれかかって、前記介助を受けることができる。
【００３６】
なお、本考案は前記実施例に限定されるものではなく、考案の趣旨から逸脱しない範囲で適宜変更して具体化することができる。
（１）ボード本体１の一短辺側が前記壁３０に前記軸着部材５で取り付けられ、ボード本体１はその大きさの途中で折り畳み可能なものであってもよい。
【符号の説明】
【００３７】
１    ボード本体
２    表板
３    裏板
４    リブ
５    軸着部材
１０    表面クッション材
１２    補助支柱
１３    軸支部
１５    手摺り
２０    浴槽
２１    上端面
３０    壁
３１    背当クッション材
【図１】
0003230705.tif 000003
【図２】
0003230705.tif 000004
【図３】
0003230705.tif 000005
【図４】
0003230705.tif 000006
【図５】
0003230705.tif 000007
【図６】
0003230705.tif 000008
【図７】
0003230705.tif 000009